【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
アイコンを表示するための複数の配置位置を有する軌跡を表示する第１表示手段と、
格納されている複数のデータアイテムについて時間情報を獲得する獲得手段と、
前記獲得手段で獲得された時間情報に基づいて、前記複数のデータアイテムを前記複数の配置位置のそれぞれに時間順で割り当て、対応するアイコンを各配置位置に表示する第２表示手段と、
前記軌跡上の隣接する配置位置に割り当てられた２つのデータアイテムの時間情報によって得られる時間差が所定時間を越える場合、当該配置位置間にその旨を示す表示を行う第３表示手段とを備えることを特徴とする情報処理装置。
【請求項２】
前記第１表示手段において表示される軌跡は螺旋状であることを特徴とする請求項１に記載の情報処理装置。
【請求項３】
前記第３表示手段は、前記軌跡上の隣接する配置位置に割り当てられた２つのデータアイテムの時間情報によって示される時間差が所定時間を越える場合、当該配置位置間にその旨を示すマークを表示することを特徴とする請求項１に記載の情報処理装置。
【請求項４】
前記第３表示手段は、前記時間差の量に基づいて、当該配置位置間に表示するマークの個数を変更することを特徴とする請求項３に記載の情報処理装置。
【請求項５】
前記第３表示手段は、前記マークの個数を、前記時間差の量を前記所定時間で割ることにより得られる値に基づいて設定することを特徴とする請求項４に記載の情報処理装置。
【請求項６】
前記第３表示手段は、前記マークの表示個数に関して最大限度数を有し、前記時間差の量が所定値を越えた場合は一律に前記最大限度数のマークを表示することを特徴とする請求項４に記載の情報処理装置。
【請求項７】
アイコンを表示するための複数の配置位置を有する、大きさの異なる複数の閉図形軌跡を入れ子状に表示する第１表示手段と、
格納されている複数のデータアイテムについて時間情報を獲得する獲得手段と、
前記獲得手段で獲得された時間情報に基づいて、前記複数の閉図形軌跡のそれぞれに対応する時間帯を決定する決定手段と、
前記閉図形軌跡に割り当てられた時間帯と前記獲得手段で獲得された時間情報とに基づいて、前記複数の配置位置のそれぞれにデータアイテムを割り当て、対応するアイコンを表示する第２表示手段と、
前記閉図形軌跡のうちの隣接する閉図形軌跡に割り当てられた２つの時間帯の時間差が所定時間を越える場合、当該閉図形軌跡間にその旨を示す表示を行う第３表示手段とを備えることを特徴とする情報処理装置。
【請求項８】
前記第３表示手段は、前記閉図形軌跡のうちの隣接する閉図形軌跡に割り当てられた２つの時間帯の時間差が所定時間を越える場合、当該閉図形軌跡間に新たな閉図形軌跡を表示することを特徴とする請求項７に記載の情報処理装置。
【請求項９】
前記第３表示手段は、前記閉図形軌跡のうちの隣接する閉図形軌跡に割り当てられた２つの時間帯の時間差が所定時間を越える場合、当該閉図形軌跡間に、その時間差の量に応じた個数の新たな閉図形軌跡を表示することを特徴とする請求項８に記載の情報処理装置。
【請求項１０】
前記第３表示手段は、前記時間差の量に基づいて、当該閉図形軌跡間に表示する新たな閉図形軌跡の個数を変更することを特徴とする請求項９に記載の情報処理装置。
【請求項１１】
前記第３表示手段は、前記新たな閉図形軌跡の個数を、前記時間差の量を前記所定時間で割ることにより得られる値に基づいて設定することを特徴とする請求項１０に記載の情報処理装置。
【請求項１２】
前記第３表示手段は、閉図形軌跡間に表示する新たな閉図形軌跡の表示個数に関して最大限度数を有し、前記時間差の量が所定値を越えた場合は一律に前記最大限度数の新たな閉図形軌跡を表示することを特徴とする請求項９に記載の情報処理装置。
【請求項１３】
格納された複数のデータについて時間情報を獲得する獲得手段と、
前記獲得手段で獲得された時間情報に基づいてアイコンを表示する際に、隣接する２つのデータの時間情報によって得られる時間差が所定時間を越える場合、その旨を表示するよう表示手段を制御する表示制御手段とを備えることを特徴とする情報処理装置。
【請求項１４】
アイコンを表示するための複数の配置位置を有する軌跡を表示する第１表示工程と、
格納されている複数のデータアイテムについて時間情報を獲得する獲得工程と、
前記獲得工程で獲得された時間情報に基づいて、前記複数のデータアイテムを前記複数の配置位置のそれぞれに時間順で割り当て、対応するアイコンを各配置位置に表示する第２表示工程と、
前記軌跡上の隣接する配置位置に割り当てられた２つのデータアイテムの時間情報によって得られる時間差が所定時間を越える場合、当該配置位置間にその旨を示す表示を行う第３表示工程とを備えることを特徴とする情報処理方法。
【請求項１５】
アイコンを表示するための複数の配置位置を有する、大きさの異なる複数の閉図形軌跡を入れ子状に表示する第１表示工程と、
格納されている複数のデータアイテムについて時間情報を獲得する獲得工程と、
前記獲得工程で獲得された時間情報に基づいて、前記複数の閉図形軌跡のそれぞれに対応する時間帯を決定する決定工程と、
前記閉図形軌跡に割り当てられた時間帯と前記獲得工程で獲得された時間情報とに基づいて、前記複数の配置位置のそれぞれにデータアイテムを割り当て、対応するアイコンを表示する第２表示工程と、
前記閉図形軌跡のうちの隣接する閉図形軌跡に割り当てられた２つの時間帯の時間差が所定時間を越える場合、当該閉図形軌跡間にその旨を示す表示を行う第３表示工程とを備えることを特徴とする情報処理方法。
【請求項１６】
格納された複数のデータについて時間情報を獲得する獲得工程と、
前記獲得工程で獲得された時間情報に基づいてアイコンを表示する際に、隣接する２つのデータの時間情報によって得られる時間差が所定時間を越える場合、その旨を表示するよう表示手段を制御する表示制御工程とを備えることを特徴とする情報処理方法。
【請求項１７】
複数のデータアイテムに対応するデータアイコンを表示するための情報処理方法をコンピュータに実行させるための制御プログラムを格納するコンピュータ可読メモリであって、該情報処理方法が、
アイコンを表示するための複数の配置位置を有する軌跡を表示する第１表示工程と、
格納されている複数のデータアイテムについて時間情報を獲得する獲得工程と、
前記獲得工程で獲得された時間情報に基づいて、前記複数のデータアイテムを前記複数の配置位置のそれぞれに時間順で割り当て、対応するアイコンを各配置位置に表示する第２表示工程と、
前記軌跡上の隣接する配置位置に割り当てられた２つのデータアイテムの時間情報によって得られる時間差が所定時間を越える場合、当該配置位置間にその旨を示す表示を行う第３表示工程とを備えることを特徴とするコンピュータ可読メモリ。
【請求項１８】
複数のデータアイテムに対応するデータアイコンを表示するための情報処理方法をコンピュータに実行させるための制御プログラムを格納するコンピュータ可読メモリであって、該情報処理方法が、
アイコンを表示するための複数の配置位置を有する、大きさの異なる複数の閉図形軌跡を入れ子状に表示する第１表示工程と、
格納されている複数のデータアイテムについて時間情報を獲得する獲得工程と、
前記獲得工程で獲得された時間情報に基づいて、前記複数の閉図形軌跡のそれぞれに対応する時間帯を決定する決定工程と、
前記閉図形軌跡に割り当てられた時間帯と前記獲得工程で獲得された時間情報とに基づいて、前記複数の配置位置のそれぞれにデータアイテムを割り当て、対応するアイコンを表示する第２表示工程と、
前記閉図形軌跡のうちの隣接する閉図形軌跡に割り当てられた２つの時間帯の時間差が所定時間を越える場合、当該閉図形軌跡間にその旨を示す表示を行う第３表示工程とを備えることを特徴とするコンピュータ可読メモリ。
【請求項１９】
複数のデータアイテムに対応するデータアイコンを表示するための情報処理方法をコンピュータに実行させるための制御プログラムを格納するコンピュータ可読メモリであって、該情報処理方法が、
格納された複数のデータについて時間情報を獲得する獲得工程と、
前記獲得工程で獲得された時間情報に基づいてアイコンを表示する際に、隣接する２つのデータの時間情報によって得られる時間差が所定時間を越える場合、その旨を表示するよう表示手段を制御する表示制御工程とを備えることを特徴とするコンピュータ可読メモリ。